(57)【要約】      （修正有）【課題】簡単にアルミサッシに取り付けられ、大きな断熱効果の得られるアルミサッシ用の断熱ボードを提供する。【解決手段】プラスチック板２の裏面に独立発泡吸着シート３が周囲状に固着されている。また、表面側には断熱フィルム４が貼付されている。この独立発泡吸着シート３は、接着剤でプラスチック板２に強固に固着されている。使用前には、独立発泡吸着シート３には通常フィルムでカバーされている。このカバーフィルムを剥離して、アルミサッシに押し付けるだけで十分な吸着力で吸着する。【選択図】図１
0003183674.tif 000002
【実用新案登録請求の範囲】
【請求項１】
耐熱性を有する透明又は半透明のプラスチック板の片面周囲に独立発泡吸着シートを貼付したものであることを特徴とするアルミサッシ用の断熱ボード。
【請求項２】
該独立発泡吸着シートは、全周に渡り、内部をシールするように貼付されているものである請求項１記載のアルミサッシ用の断熱ボード。
【請求項３】
該プラスチック板の該独立発泡吸着シートと反対側にプラスチックフィルムを貼付したものである請求項１又は２記載のアルミサッシ用の断熱ボード。
【請求項４】
貼付すべきアルミサッシに段差がある場合、プラスチック板にその段差を解消するためのスペーサーを設けたものである請求項１乃至３のいずれか１項に記載のアルミサッシ用の断熱ボード。
【請求項５】
該プラスチック板の周囲全体に枠体を設けたものである請求項１乃至４のいずれか１項に記載のアルミサッシ用の断熱ボード。
【請求項６】
該プラスチックフィルムは、断熱フィルムである請求項１乃至５のいずれか１項に記載のアルミサッシ用の断熱ボード。
【請求項７】
該プラスチックフィルムは、紫外線遮断フィルムである請求項１乃至６のいずれか１項に記載のアルミサッシ用の断熱ボード。
【請求項８】
該プラスチックフィルムは、着色フィルムである請求項１乃至７のいずれか１項に記載のアルミサッシ用の断熱ボード。
【考案の詳細な説明】
【技術分野】
【０００１】
本考案は、アルミサッシ用の断熱ボードに関するものである。
【背景技術】
【０００２】
最近、原子力発電の問題等から、電力不足が叫ばれてきている。特に夏期の冷房用の電力が大きな問題となっている。勿論、寒冷地の暖房経費も同様である。
これらのことは家庭においても同様であり、冷暖房費は増大することになってきている。
【０００３】
このような冷暖房費を軽減するためには、建造物を断熱することが第一である。よって、近時壁面や屋根、床にいたるまで種々の断熱材、例えば発泡スチロール製のものや岩綿製のもの等が充填されてきている。
【０００４】
しかしながら、ガラス窓の場合には、ほとんど何も対策がとられていない。北海道等の寒冷地では二重窓になっているところがあるが、寒冷地以外ではそのような大きな経費がかかるものは設けられていない。
【０００５】
また、ガラス窓には、このような断熱効果だけでなく、その他の効果を期待する場合もある。
【考案の概要】
【考案が解決しようとする課題】
【０００６】
そこで簡単にアルミサッシに取り付けられ、大きな断熱効果の得られるアルミサッシ用の断熱ボードを提供する。
【課題を解決するための手段】
【０００７】
以上のような状況に鑑み、本考案者は鋭意研究の結果本考案アルミサッシ用の断熱ボードを完成したものであり、その特徴とするところは、耐熱性を有する透明又は半透明のプラスチック板の片面周囲に独立発泡吸着シートを貼付した点にある。
【０００８】
アルミサッシとは、アルミニウム製の窓枠であり汎用されているものである。本考案においても特別なものである必要はない。アルミサッシは通常、枠
【０００９】
ここで、耐熱性を有するプラスチック板とは、少なくとも直射日光による温度によって、変形（軟化、波うち、たわみ等）しないものをいう。一般には、直射日光で７０℃程度になる場合があると言われているため、７０℃で変形しないものである必要がある。この耐熱性があれば、材質は特に限定しないが、ポリカーボーネート、ポリプロピレン等が好適である。
【００１０】
透明又は半透明とは、窓であるため、光がある程度入ることが前提になるためである。半透明は少なくとも５０％以上の光が通過するものである。
【００１１】
このプラスチック板に特別な効果を持たせてもよい。例えば、紫外線遮断、断熱等である。そのような効果は、プラスチックに種々の物質を練りこむことによって達成できる。
【００１２】
このプラスチック板のサイズは、取り付けるアルミサッシの枠体に取り付けられ、一定の密閉空間を形成できればよい。
【００１３】
独立発泡吸着シートとは、柔軟性のあるプラスチックで、独立発泡させたものである。独立した発泡（気泡）が表面にできると、それが凹部となる。よって、表面に独立した凹部が多数存在することになる。この凹部が吸盤の役目を果たし、平滑な面に押し付けたときに、それぞれの凹部が凹み、手を離せば、柔軟なプラスチックが復元しようとして凹部内が減圧状態になり吸着力が発現する。
【００１４】
この独立発泡吸着シートは、裏面に粘着剤（接着剤も可、以下同様）が塗布されているか、粘着シートとラミネートされている。この粘着力で独立発泡吸着シートはプラスチック板に固着される。
【００１５】
この独立発泡吸着シートを、プラスチック板の片側周囲に固着する。周囲とは、全体を囲むようにという意味である。これは、プラスチック板をアルミサッシに固着した場合に、密閉空間を形成するためである。密閉にしないと、空気が流通し、断熱効果が減少するためである。
【００１６】
さらに、プラスチック板の表面側（独立発泡吸着シートを貼った側と反対側）にプラスチックフィルムを貼ってもよい。
例えば、断熱フィルムである。基本的にはどのような断熱フィルムでもよい。金属紛体を練りこんだＰＥＴ（ポリエチレンテレフタレート）フィルムの表面にハードコートを施し、裏面に接着剤を塗布し、その上に離型紙を貼ったもの等が好適である。このようなものはすでに市販されている。
【００１７】
次に紫外線遮断フィルムを貼ってもよい。これは、夜間、室内（店内）の蛍光灯から出る紫外線に虫が引き寄せられて窓ガラスに多数の虫が集まるのを防止するためである。一般の民家でも問題であるが、レストランその他の店舗ではこの虫の集合は大きな問題である。よって、紫外線を遮断して虫を減少させれば大きなメリットである。
また、種々の着色、印刷を施したフィルムをプラスチック板に貼ってもよい。
【００１８】
貼付すべきアルミサッシに段差がある場合、プラスチック板にその段差を解消するためのスペーサーを設けてもよい。アルミサッシは、上部の横枠と左右の縦枠とが同一平面上にない場合もある。このような場合では、密閉空間ができないため、同一平面になるようにスペーサーを貼付するのである。スペーサーは、プラスチック製、特に発泡プラスチック製がよい。要するに隙間を埋める棒材のようなものである。勿論、パイプやアングル、Ｈ型等の形状でもよい。
【００１９】
このスペーサーを両面粘着テープ等でアルミサッシに固着して平面状にする。その上からプラスチック板を貼るのである。
【００２０】
また、アルミサッシの枠は同一平面上にあったとしても（ない場合でも）、ロックその他の付属品がその平面から突出している場合もある。このような場合では、プラスチック板に当たるので、窓枠全体（周囲状）に枠体を設けてもよい。この枠体によって、付属品に当たることを避け、且つ平面状にするのである。
【００２１】
本考案の断熱ボードの取り付け方法は、アルミサッシのサイズと同じサイズにプラスチック板（種々のフィルムやスペーサー等を取り付けたものでもよい）を裁断し、そこに固着された独立発泡吸着シートによって、アルミサッシの部屋側に吸着させればよい。
【考案の効果】
【００２２】
本考案には、次のような効果がある。
（１）  アルミサッシに貼るだけで簡単に断熱効果がえられる。
（２）  アルミサッシの部屋側に密閉空間ができ、二重窓と同様の効果がある。
（３）  プラスチック板に種々のプラスチックフィルムを貼付すれば、そのフィルムが持つ効果が発揮できる。
【図面の簡単な説明】
【００２３】
【図１】本考案断熱ボードの１例を示す斜視図である。
【図２】本考案断熱ボードの他の例を示す斜視図である。
【考案を実施するための最良の形態】
【００２４】
以下実施の形態に基づいて、本考案をより詳細に説明する。
図１は本発明断熱ボード１の１例を示す斜視図である。プラスチック板２の裏面に独立発泡吸着シート３が周囲状に固着されている。また、表面側には断熱フィルム４が貼付されている。この独立発泡吸着シート３は、接着剤でプラスチック板２に強固に固着されている。使用前には、独立発泡吸着シート３には通常フィルムでカバーされている。このカバーフィルムを剥離して、アルミサッシに押し付けるだけで十分な吸着力で吸着する。
【００２５】
また、本発明断熱ボード１を外すときには、手の力で剥離するだけで簡単に外すことができる。よって、季節ごとに外すことも簡単である。
【００２６】
図２は、プラスチック板２に枠体５を固着した例である。これは、アルミサッシの構造上、平面状のものでは、突起物があたる場合に用いるものである。これなら枠体５の高さを調整することによって、突起物を避けることができる。
【符号の説明】
【００２７】
１  断熱ボード
２  プラスチック板
３  独立発泡吸着シート
４  断熱フィルム
５  枠体
【図１】
0003183674.tif 000003
【図２】
0003183674.tif 000004